(57)【要約】【課題】高い防除効率を持つ光源を螺旋状杭で設置することで、施工と移動あるいは撤去が簡単な低コスト型防虫器を提供する。【解決手段】昆虫の忌避および行動を抑制する光源、反射板、殺傷捕獲手段、螺旋状杭からなることを特徴とする。【選択図】        図１
2004208676.tif 000002
【特許請求の範囲】
【請求項１】
昆虫の忌避光源あるいは行動抑制光源とそれを地上に固定する支柱と螺旋状杭からなることを特徴とする移動式防虫器。
【請求項２】
昆虫の忌避光源あるいは行動抑制光源は０．４５μｍ付近より長波長域の光を放射する光源であることを特徴とする請求項１記載の防虫器。
【請求項３】
昆虫の忌避光源あるいは行動抑制光源に反射板及び、または殺傷捕獲手段を取り付けたことを特徴とする請求項１記載の防虫器。
【発明の詳細な説明】
【０００１】
【発明の属する技術分野】
本発明は、夜が類、カメムシ類等の農園、倉庫、工場、商店、一般家庭等への夜間活動昆虫を防除する装置に関する。
【０００２】
【従来の技術】
夜間農園に飛来し加害活動する夜が類として、果樹の成熟果を吸害するアケビコノハ、アカエグリバなどがあり、トマト、ネギ、ショウガ、レタスなどの野菜、カーネーション、キクなどの花き類を加害するものとしてハスモンヨトウ、シロイチモジヨトウ、オオタバコガ、アワノメイガなどがある。
【０００３】
これらの夜が類の農作物被害防止方法として光を利用したものがあり、代表的防虫用光源として青色灯、黄色灯がある。青色灯は昆虫を誘引し、それを高電圧で殺虫したり、送風機で吸引し捕獲する方法である。
【０００４】
黄色灯は昆虫を忌避させ、あるいは複眼の明適化により交尾、産卵などの加害活動を抑制する。そのために必要な照度は約１ルックス以上であると言われている。
【０００５】
青色灯使用の時は、大量の飛来昆虫を捕獲する必要があるが、それが非常に困難であるため、黄色灯がより防虫光源として効果的であると考えられている。
【０００６】
【発明が解決しようとする課題】
農園の照度を１ルックス以上にするためには、一般的に用いられている４０Ｗ直管黄色灯で１０アールあたり約１５灯の設置が必要で、施工を含めるとかなりの費用がかかる。
【０００７】
昆虫が忌避、あるいは行動が抑制される放射波長域はその種類によって異なる。例えば、同じ夜が類でシロイチモジヨトウ０．４５μｍの付近以下、アワノメイガは０．５０μｍ付近以下の波長域の放射光に誘引され、それ以上の波長域の放射光で忌避、あるいは行動が抑制される。一光源のみで多種類の昆虫を防除することは不可能である。
【０００８】
従来の直管黄色灯は放射光の大部分が管に対し垂直な方向に出ているため、管の両端部周辺が暗く、その部分で被害が多くなる傾向がある。
【０００９】
本発明は、上記の問題点を解消し、より防除効率が高い防虫器を提供することにある。
【００１０】
【課題を解決するための手段】
上記目的を達成するために、防除効果を高め設置灯数、設置費用を減らす必要があり、本発明は、防虫が必要な領域の上方を重点的に照射する光源、あるいは反射板付光源であることを特徴とする。
【００１１】
また、本発明は、設置が簡単に行え、防虫が必要な時期が場所によって異なる場合、防虫が必要な場所に簡単に移動・設置できることを特徴とする。
【００１２】
また、本発明は、光源は０．４５μｍ付近より長波長域に放射ピーク波長を持つランプを使用し、０．４５μｍ付近以下の短波長域の放射光がある場合は、その光を遮断するための色素を用いたことを特徴とする。ランプは直管、環形あるいは球形の蛍光灯、ＬＥＤ、ＨＩＤ光源等を用いる。色素はランプの外球、あるいはグローブ球等に塗布等で固定する。
【００１３】
また、本発明は、光源に反射板を取り付けたこと、あるいは光源にその反射板と粘着板、高電圧等の殺傷捕獲手段を取り付けたことを特徴とする。反射板は、防虫が必要な領域の上方を一様に効率良く照射できない場合、あるいはその領域にある作物等にたいし光による悪影響が出る場合等に用い、ランプの外球あるいはグローブ球を、直接、金属蒸着等で処理することで作成したり、それらとは別に金属板等で作成する場合がある。殺傷捕獲手段は主に光源の下方に設置する。
【００１４】
【発明の実施の形態】
以下、本発明の好適な実施の形態を図面を参照しつつ説明する。図１は本発明の防虫器の実施例を示す断面図であり、１は色素を塗布したグローブ球（直径５０．８ｃｍ）、２は２２０Ｗ高圧ナトリウムランプ、３はソッケト、４は支柱（長さ２．５ｍ）、５は電線、６は安定器、７はスパイラル杭に支柱を固定するネジ、８は地面、９はスパイラル杭を示す。
【００１５】
本発明の防虫器は、図１に示すように昆虫を忌避あるいは行動抑制する光源１、２と支柱４と設置移動を簡単にするスパイラル杭９で構成したものである。この光源は０．４５μｍ付近以下の波長光を遮断するために色素を塗布したグローブ球１と高圧ナトリウムランプからなり０．５８５μｍの最大放射ピーク波長を持ち、光源の放射量の大部分が上方を照射している。防虫器の設置はスパイラル杭９を人力で地中にねじ込み、高圧ナトリウムランプ２をセットしたソケット３にグローブ球１を固定し、そのソケットを支柱にネジ留めし、支柱はスパイラル杭の地上部にネジ留めする。
【００１６】
作物の光への影響が問題になるときは、反射板としてグローブ球の下部に金属蒸着等を行うことによって作物への照射量を調節することができる。
【００１７】
次に上記の防虫器の効果を確認するために行った実験例を示す。
【００１８】
「試験場所」レタス畑
「試験期間」平成１３年１０月４日から平成１３年１１月１２日
「試験方法」レタス定植後、平成１３年１０月４日に点灯開始し、オオタバコガの性フェロモントラップによる雄成虫捕獲数、産卵幼虫株数を防虫器設置付近（設置区）と、その光がまったく届かない暗黒状態の場所（対照区）で調査し比較した。
【００１９】
上記の結果を表１に示す。
【００２０】
【表１】
2004208676.tif 000003
「試験結果の考察」
防虫器から半径約２５ｍ以内の領域ではオオタバコガの飛来、産卵活動が著しく抑制されている。本防虫器１灯で約２０アールのレタス畑のオオタバコガ防除が可能である。
【００２１】
なお、本発明は、上記実験例に限定されたものでなく、種々の変形が可能である。光源で高圧ナトリウムランプを用いたが、環形や直管の蛍光灯、ツイン蛍光灯、白熱灯、ＨＩＤ灯、ＬＥＤ等のランプを用いてもよい。より高い照度が要求されるときは、ランプの灯数、あるいはワット数を増やすことによって調整してもよい。また連続光を用いたが、パルス光、ゆらぎ光さらにそれらを組み合わせた照射方法でもよい。昆虫の捕獲が必要なときは、光源の下部に捕獲器を設置する。殺傷捕獲手段として、送風機と水盤、粘着板、あるいは電気刺激等がある。
【００２２】
【発明の効果】
以上説明したように、本発明によれば忌避あるいは行動抑制光源と光源で防除が困難な昆虫を殺傷捕獲することによって、あらゆる昆虫に対して高い防除効果が期待でき、さらに簡単に取り付け移動が行えれる。そのために設置数、設置費の大幅な削減ができ果樹、野菜、花き類等の農園、工場、商店など防虫が不可欠な分野で有効に活用できる。
【図面の簡単な説明】
【図１】本発明の防虫器の実施例をしめす断面図である。
【符号の説明】
１…色素を塗布したグローブ球、２…高圧ナトリウムランプ、３…ソケット、４…支柱、５…電線、６…安定器、７…固定ネジ、８…地面、９…スパイラル杭を示す。
【図１】
2004208676.tif 000004